(57)【要約】      （修正有）【課題】芝生上に密に堆積したサッチにもしっかりと差し込むことができるとともに、軽く引くことができる集草用レーキを提供する。【解決手段】集草用レーキ１は、柄部２の先端に枯れ草や枯れ葉からなるサッチを掻き集めるための櫛歯状の本体３が設けられた集草用レーキ１であって、櫛歯状の本体３は、略平板状の基部４と、該基部４から等間隔に配設された複数の突出片５、５と、を備え、突出片５、５は、サッチと接触して掻き集める部分の面（後面）において、傾斜面７と、突出片５、５の先端に形成された傾斜すべり面９が形成されているものである。【選択図】図１
0003215787.tif 000002
【実用新案登録請求の範囲】
【請求項１】
柄部の先端に枯れ草や枯れ葉を掻き集めるための櫛歯状の本体が設けられた鋼板製の集草用レーキであって、
前記櫛歯状の本体は、略平板状の基部と、該基部から等間隔に配設された複数の突出片と、を備え、
該突出片の先端には、少なくとも、前方から後方にかけて、先端から上方へ傾斜する傾斜すべり面を有する集草用レーキ。
【請求項２】
突出片は、基端部分から先端部分にかけて、前面及び後面が傾斜する傾斜面を有し、
前記突出片の先端には、傾斜すべり面の他に、後方から前方にかけて、先端から上方へ傾斜する第２の傾斜すべり面を有することを特徴とする請求項１に記載の集草用レーキ。
【請求項３】
突出片は、基端部分にねじれ部を有することを特徴とする請求項１又は２のいずれか一項に記載の集草用レーキ。
【請求項４】
突出片は、突出片の後面が基部の左右方向に対して傾斜することを特徴とする請求項１ないし３のいずれか一項に記載の集草用レーキ。
【考案の詳細な説明】
【技術分野】
【０００１】
本考案は、芝生上に堆積した枯れ草や枯れ葉を掻き集める集草用レーキに関する。
【背景技術】
【０００２】
従来の金属製の爪部を有するレーキを芝生上の芝の間に枯れ葉や枯れ草が密に堆積した状態（以下、サッチという）を掻き集めるために使用すると、複数の突出片が地面に突き刺さったり、芝（の葉、茎、根部分）などに絡まったりしてレーキを引く際の抵抗が大きくなり、作業者に大変な労力を要してしまうとともに、そのような状態で無理やり掻き集めようとすると芝生を傷つけてしまう欠点があった。
【０００３】
また、特許文献１ないし３に記載された発明のように、地面等に突き刺ささらないとともに、芝を傷つけないようにするために、球状、カール状、リング状の爪部を備えたレーキや熊手が提案されている。また、特許文献４に記載された発明には、箒の先端にゴム等の弾力性のある棒状の部材を用いたものもある。これらのレーキや熊手は、爪部自体の重量が軽いため地面に突き刺さることや芝に絡まることを抑止することができるが、単に球状、カール状、リング状などの丸みの爪部であるため、サッチに爪部を充分に差し込むことができず、爪部が変形しやすいためサッチを掻き集めるには非常に労力を要する作業となる欠点があった。
【先行技術文献】
【特許文献】
【０００４】
【特許文献１】実開昭５５−８８５９号公報
【特許文献２】登録実用新案第３０８６０４号公報
【特許文献３】実開昭６４−０２６９２０号公報
【特許文献４】特開２００６−３４８３０号公報
【考案の概要】
【考案が解決しようとする課題】
【０００５】
本考案は、芝生上に密に堆積したサッチにもしっかりと差し込むことができ、特に作業者がレーキを引いてサッチを掻き集める際に、地面に刺さりにくくするとともに芝（の葉、茎、根部分）に絡みにくくすることで、地面や芝と櫛歯との抵抗を減少させ、作業者にとって従来のレーキに比べて軽い使用感でサッチを掻き集めることができる櫛歯を有する集草用レーキを提供することを目的とする。
【課題を解決するための手段】
【０００６】
上記課題に鑑み、本考案は、柄部の先端に枯れ草や枯れ葉を掻き集めるための櫛歯状の本体が設けられた鋼板製の集草用レーキであって、前記櫛歯状の本体は、略平板状の基部と、該基部から等間隔に配設された複数の突出片と、を備え、該突出片の先端には、少なくとも、前方から後方にかけて、先端から上方へ傾斜する傾斜すべり面を有することを特徴とする集草用レーキである。
【０００７】
また、突出片は、基端部分から先端部分にかけて、前面及び後面が傾斜する傾斜面を有し、前記突出片の先端には、傾斜すべり面の他に、後方から前方にかけて、先端から上方へ傾斜する第２の傾斜すべり面を有することが好ましい。
【０００８】
また、突出片は、基端部分にねじれ部を有することが好ましい。
【０００９】
また、突出片は、突出片の後面が基部の左右方向に対して傾斜することが好ましい。
【考案の効果】
【００１０】
請求項１、２記載の考案によれば、芝生上にサッチが密に堆積した状態において、この突出片の傾斜すべり面及び傾斜面からなる逃げ面によって、しっかりサッチに突出片を差し込むことができるとともに、芝（特に、茎、根部分）に接触して絡まったとしても芝を櫛歯の下方または側方に逃げるようにすることで芝を傷つけることなくサッチを掻き集めることができ、とりわけ従来のレーキに比べて軽い使用感となる集草用レーキを提供することが可能である。
【００１１】
請求項３記載の考案によれば、櫛歯の強度をより一層向上させることができるとともに、従来のレーキの製造方法にねじり部形成工程を加えることのみで製造することが可能である。      
【００１２】
請求項４に記載の考案によれば、ねじれ部により突出片の後面が基部の左右方向に対して若干傾いているので、通常右利きの利用者が使用すれば、若干右側にレーキを引くことになることから、突出片の後面がその方向に傾くので、サッチの掻き集めや軽い使用感といった本考案の効果をより発揮することができる。
【図面の簡単な説明】
【００１３】
【図１】本考案の実施形態に係る集草用レーキを示す全体の斜視図及び櫛歯周辺の拡大斜視図である。
【図２】図１の櫛歯周辺を示す(a)拡大側面図、(b)拡大底面図である。
【図３】集草用レーキの使用状態を示す概念図であり、(a)櫛歯をサッチに差し込んだ状態、及び、(b)櫛歯でサッチを掻き集めた状態、を示す概念図である。
【考案を実施するための形態】
【００１４】
本考案の実施形態について図に基づいて詳細に説明する。ここで、集草用レーキとは、突出片５、５により、枯れ草や枯れ葉等のサッチＴを掻き集めるものであり、本体３や突出片５、５に刃体が形成されないものである。本件では、集草用レーキ１の柄２側を後、柄２と反対側を前として、また、図1の右手前側を右、左奥側を左として説明する。
【００１５】
(実施形態)
集草用レーキ１は、図１に示すように、櫛歯状の本体３の後面から接続部３ａが延長形成され、この接続部３ａに柄２を取り付けたものであり、この本体３は、略平板状の基部４と、該基部４から等間隔に配設された複数の突出片５、５と、を備える。具体的には、本体３は、所定の重みを有する鋼板製（とりわけ、鉄板製）であり、基部４の下端から８本の突出片５、５が下方に向けて突出している。
【００１６】
突出片５、５は、図２(a)に示すように、後面となるサッチＴと接触して掻き集める部分の面において、基部４から突出片５、５の先端方向にかけて、突出片５、５の前後方向幅が狭くなるように傾斜角αで傾斜するように形成された傾斜面７、７を有する。また、前側にも同様の第２の傾斜面８、８が形成される。この傾斜面７、７、及び、第２の傾斜面８、８により突出片５、５は先端にかけて先細り形状を有する。
【００１７】
突出片５、５には、その先端（前側）から後側にかけて傾斜する傾斜すべり面９、９が形成され、この傾斜すべり面９、９の上縁と傾斜面７、７の下縁が連続するように形成される。また、前述の傾斜面７、７の場合と同様に、突出片５、５の先端（後側）から前側にかけて傾斜する第２の傾斜すべり面１０、１０も形成される。傾斜すべり面９、９、及び、第２の傾斜すべり面１０、１０の傾斜角は、傾斜面７、７、及び、第２の傾斜面８、８の傾斜よりも大きく、約４５度傾斜している。傾斜すべり面９、９、及び、第２の傾斜すべり面１０、１０は、先端から湾曲するように形成されているが、単なる平坦な面でもよい。
【００１８】
突出片５、５は、基部４の下縁から下方に延長されたものであるが、その基部４の下縁から直近の部分である基端部分で捻ったねじれ部６、６を有する。実際には、櫛歯状の本体３をプレス加工した後、焼入工程を行う前に、突出片５、５の先端及び中間部分を固定して櫛歯状の本体３の左右方向に荷重を加えるねじれ部形成工程によって、前記ねじれ部６、６が形成される。
【００１９】
このねじれ部６、６は、鋼板の厚み分を突出片５、５の左右の幅方向長さとなるようにするものであって、ねじる前の突出片５、５の左右方向幅がねじり後の突出片５、５前後方向幅となる。これにより、ねじり加工後は、集草用レーキ１の所定の重さを保持しつつ、突出片５、５の前後方向幅に対して左右方向幅を短くすることができる。これにより、突出片５、５のサッチＴへの抵抗を減らしつつ、所定の重さを有することでサッチＴに差し込みやくするとともに、芝（葉、茎、根部分）に突出片５、５が絡んでも集草用レーキ１を引いたときに突出片５、５が前後方向に所定の強度を有するようにすることができる。
【００２０】
図２(b)に示すように、ねじれ部６、６は、突出片５、５を完全に直角にねじるのではなく、櫛歯状の本体３の左右方向（略平板状の基部４の左右方向）に対しても傾斜角βが形成されるようにねじっている。この傾斜は、突出片５、５の後側が若干左側（作業者からみて右側）に傾くようにしており、この傾斜角βは数度程度で傾斜させることが好ましく、本実施形態において傾斜角βは約３度程度にしている。
【００２１】
この櫛歯状の本体３は、より具体的には、サッチＴを掻き集めやすくするために突出片５、５の左右方向幅ｗに対して約７倍程度の間隔ｄを空けて配設することが好ましく、本実施形態においては左右方向幅ｗを約４mm程度、一の突出片５とその他の突出片５との間隔ｄを約２７mm程度にしている。また、突出片５、５の左右方向幅ｗが約４mm程度であるのに対し、前後方向幅は基端部分で約１０mm、先端部分で約５mm程度である。
【００２２】
次に、上述した構成からなる集草用レーキ１の使用状態を図３に示す。図３(a)は、芝ＧにサッチＴが密に詰まった状態に集草用レーキ１の櫛歯状の本体３の突出片５、５を差し込む状態の概念図であり、図３(b)は、集草用レーキ１の櫛歯３の突出片５、５を差し込んだ状態から作業者が掻き集めた状態を示す概念図である。
【００２３】
したがって、上述した構成によって、図３(a)に示すように、芝ＧにサッチＴが密に堆積した状態において、金属製の櫛歯状の本体３による充分な重みと、突出片５、５の傾斜面７、７、第２の傾斜面８、８、傾斜すべり面９、９、及び、第２の傾斜すべり面１０、１０からなる逃げ面によって、しっかり差し込むことができる。また、図３(b)に示すように、地面や芝Ｇ（特に、茎、根部分）に接触して絡まったとしても、傾斜面７、７及び傾斜すべり面９、９によって地面や芝Ｇを櫛歯状の本体３の下方に逃げるようにすることで、サッチを掻き集める際に、地面に刺さりにくくするとともに芝（の葉、茎、根部分）に絡みにくくすることで、地面や芝Ｇと櫛歯３との抵抗を減少させ、作業者にとって従来のレーキに比べて軽い使用感でサッチＴを掻き集めることが可能である。
【００２４】
また、突出片５、５のねじれ部６、６によって、櫛歯３の強度をより一層向上させることができるとともに、従来のレーキの製造方法にねじり部形成工程を加えることのみで容易に本実施形態の集草用レーキ１を製造することが可能である。しかも、ねじれ部６、６により突出片５、５の後面が若干右方向に傾いているので絡まった芝Ｇを側方に逃がすことができ、地面や芝Ｇと櫛歯状の本体３との抵抗をさらに減少させ、作業者にとって従来のレーキに比べてより一層軽い使用感でサッチＴを掻き集めることが可能である。
【符号の説明】
【００２５】
1…集草用レーキ、２…柄部、３…本体、３ａ…接続部、４…基部、５…突出片、６…ねじれ部、７…傾斜面、８…第２の傾斜面、９…傾斜すべり面、１０…第２の傾斜すべり面、Ｇ…芝、Ｔ…サッチ、傾斜角…α、β、ｗ…突出片の左右方向幅、ｄ…間隔
【図１】
0003215787.tif 000003
【図２】
0003215787.tif 000004
【図３】
0003215787.tif 000005